(57)【要約】【課題】  複数纏めて管理すべきコンテンツが複数の光ディスクに跨って記録される場合であっても、そのコンテンツと記録媒体の対応関係を管理し、纏まったコンテンツとして確実かつ容易に操作が可能となる。【解決手段】本発明の記録再生装置１１０は、第１の記録媒体（ＨＤＤ）に記録された複数のコンテンツを複数の第２の記録媒体（光ディスク）にコピーする際に、記録対象となる複数のコンテンツそれぞれを識別させるためのコンテンツ識別情報と光ディスクの媒体識別子とに基づいて生成した複数のコンテンツ固有識別子と、記録対象となるコンテンツのうち一の光ディスクにコピーするコンテンツを特定する記録コンテンツ情報と、を対応付けたコンテンツ対応情報を、コンテンツと共に一の光ディスクに記録することを特徴としている。【選択図】    図２
2010198680.tif 000002
【特許請求の範囲】
【請求項１】
コンテンツを記録する記録装置において、
第１の記録媒体に記録されているコンテンツのうちから、それぞれの記録媒体を識別させるための媒体識別子を有する１または複数の着脱可能な第２の記録媒体へコピーする対象となる複数のコンテンツを選択するコンテンツ選択制御部と、
選択された前記複数のコンテンツが有するそれぞれのコンテンツを識別させるためのコンテンツ識別情報と、前記１または複数の第２の記録媒体のうちのいずれか１つの第２の記録媒体の前記媒体識別子とに基づいて前記選択された複数のコンテンツそれぞれを特定させるための情報であるコンテンツ固有識別子を生成する識別子生成部と、
前記選択された複数のコンテンツのうちから、前記１または複数の第２の記録媒体のうち前記記録装置に装着された第２の記録媒体へコピーする対象のコンテンツである１または複数の記録対象コンテンツを決定するコンテンツ決定部と、
前記１または複数の記録対象コンテンツを、前記装着された第２の記録媒体にコピーするとともに、前記選択された複数のコンテンツの前記コンテンツ固有識別子と、前記選択された複数のコンテンツのうちどれが前記記録対象コンテンツであるかを示す情報である記録コンテンツ情報とが対応付けられたコンテンツ対応情報を、前記装着された第２の記録媒体に記録するコンテンツ記録制御部と、
を備えることを特徴とする記録装置。
【請求項２】
前記コンテンツ対応情報は、前記選択された複数のコンテンツを再生する際の順番も対応付けられていることを特徴とする請求項１に記載の記録装置。
【請求項３】
コンテンツを再生する再生装置において、
第１の記録媒体に記録されているコンテンツのうちから、それぞれの記録媒体を識別させるための媒体識別子を有する１または複数の第２の記録媒体へコピーする対象となる複数のコンテンツが選択され、この選択された複数のコンテンツが有するそれぞれのコンテンツを識別させるためのコンテンツ識別情報と、前記１または複数の第２の記録媒体のうちのいずれか１つの第２の記録媒体の前記媒体識別子とに基づいて生成された、前記選択された複数のコンテンツそれぞれを特定させるための情報であるコンテンツ固有識別子と、前記選択された複数のコンテンツのうちどれが前記１または複数の第２の記録媒体においてそれぞれ自体にコピーされている記録コンテンツであるかを示す情報である記録コンテンツ情報と、が対応付けられているコンテンツ対応情報が、前記記録コンテンツとともに記録されている前記１または複数の第２の記録媒体のうちの前記再生装置に装着された第２の記録媒体から、前記コンテンツ対応情報を取得する対応情報取得部と、
前記装着された第２の記録媒体に記録されている前記記録コンテンツを再生するコンテンツ再生制御部と、
前記コンテンツ再生制御部が前記記録コンテンツの再生を停止したとき、その記録コンテンツにおける再生停止位置を示す情報を、この記録コンテンツを特定するコンテンツ固有識別子に関連付けた再生履歴情報を前記再生装置内の情報記憶部に記録する再生履歴情報記録制御部と、
を備え、
前記コンテンツ再生制御部は、前記記録コンテンツの再生を再開する際、前記情報記憶部に記録されている前記再生履歴情報を取得して、前記記録コンテンツのコンテンツ固有識別子に対応した再生停止位置を示す情報に基づいてコンテンツを再生することを特徴とする再生装置。
【請求項４】
前記コンテンツ再生制御部は、前記装着された第２の記録媒体に記録されている各前記記録コンテンツの前記再生履歴情報の一覧をモニタに表示させる手段を有するとともに、ユーザに、この表示させた再生履歴情報の一覧に含まれている前記各記録コンテンツから再生対象コンテンツを選択させ、この選択された再生対象コンテンツを、この再生対象コンテンツのコンテンツ固有識別子に対応した再生停止位置を示す情報に基づいて再生することを特徴とする請求項３に記載の再生装置。
【請求項５】
前記コンテンツ対応情報は、前記選択された複数の記録コンテンツを再生する際の順番も対応付けられており、
前記コンテンツ再生制御部は、前記再生する際の順番で、前記各記録コンテンツの前記再生履歴情報の一覧をモニタに表示させることを特徴とする請求項４に記載の再生装置。
【発明の詳細な説明】
【技術分野】
【０００１】
本発明は、コンテンツを記録媒体に記録する記録装置および記録媒体に記録されたコンテンツを再生する再生装置に関する。
【背景技術】
【０００２】
ＨＤＤ（Hard Disk Drive）等の大容量記録装置を内蔵し、この内蔵した大容量記録装置へのコンテンツの記録機能、およびこの大容量記録装置に記録されたコンテンツの再生機能と、ＤＶＤ(Digital Versatile Disc）、ＢＤ（Blu-ray Disc）、メモリーカード等のリムーバブル記録媒体へのコンテンツの記録機能、およびこのリムーバル記録媒体に記録されたコンテンツの再生機能との両方の記録再生機能を有する大容量記録装置内蔵型コンテンツ記録再生装置が普及している。
【０００３】
なお、以下の説明では、便宜上、大容量記録装置はＨＤＤと、リムーバブル記録媒体は光ディスクと、それぞれにおいて代表的なものの呼称を用いることとする。また、大容量記録装置内蔵型コンテンツ記録再生装置としては、ＨＤＤ内蔵型ＤＶＤレコーダやＨＤＤ内蔵型ＢＤレコーダ等が現在普及しているが、以下の説明ではこれらの装置を総称して、単に記録再生装置と呼ぶこととする。
【０００４】
この記録再生装置は、一般的に、デジタル放送番組の受信機能も備えており、受信したデジタル放送番組等のコンテンツを、上記したＨＤＤ、光ディスクの各記録媒体へ記録することができ、またこれらの記録媒体に記録されたコンテンツを再生することが可能となる。
【０００５】
また、外部入力端子を備えた記録再生装置では、この外部入力端子からデジタルストリームとして入力されるコンテンツも上記受信したデジタル放送番組等のコンテンツと同様に各記録媒体へ記録し、また再生することが可能である。
【０００６】
さらに、この記録再生装置は、ＨＤＤに記録されているコンテンツを光ディスクへコピー（ダビング）するコンテンツコピー機能も備えている。
【０００７】
ところで、上記したデジタル放送番組は、デジタル放送波を通じて放送局から放送される。このデジタル放送波には、デジタル放送番組とともに、このデジタル放送番組に関する様々な番組付加情報も含まれている。記録再生装置は、この番組付加情報を受信、取得することで、ユーザにデジタル放送番組に関する種々の情報を提示することが可能となる。この番組付加情報の１つとして番組配列情報（Service information、以下単にＳＩと称する）がある。このＳＩは、主に電子番組表（Electronic Program Guide、以下、単にＥＰＧと称する）を生成するために用いられる。また、かかるＳＩを用いることで、例えば、多数のコンテンツから任意のシリーズ番組を抽出することができる。
【０００８】
ここで、シリーズ番組とは、共通のテーマを認識することができるコンテンツの集合体であり、ＳＩ中のシリーズ記述子等によって識別することができる。シリーズ記述子には、シリーズ番組を一意に識別するための識別子（ＩＤ）、再放送の回数を示すラベル、シリーズ記述子が示すコンテンツの話数、シリーズ番組の総数等の情報が含まれている。ユーザは、このシリーズ記述子を利用することで、シリーズ番組の自動記録を行うことが可能となる。
【０００９】
記録再生装置は、ＨＤＤに記録されているコンテンツのタイトルや内容等の番組情報を表示する際に、上記したシリーズ記述子等の情報を付加して表示することで、ユーザに、かかるコンテンツがシリーズ番組を構成するコンテンツであることを認識させることができ、さらには、複数のコンテンツをシリーズ番組単位でグループ化させる等、シリーズ番組であることを意識した操作を行わせることができる。
【００１０】
しかし、かかるコンテンツをＨＤＤから光ディスクにコピーする際、一般的に光ディスクはＨＤＤと比較して記録容量がかなり少ないので、シリーズ番組に含まれる全てのコンテンツを１つの光ディスクにコピーできない場合がある。この場合、シリーズ番組に含まれる各コンテンツを複数の光ディスクに分けてコピーする必要がある。このように、シリーズ番組に含まれる各コンテンツを複数の光ディスクに分けてコピーすると、従来の記録再生装置では、複数の光ディスクに跨ってコピーされたシリーズ番組を統括的に管理することが困難になるという問題があった。
【００１１】
ところで、特許文献１には、シリーズ番組を構成するコンテンツであることを識別するためのグループＩＤという概念を用いて、ＨＤＤから光ディスクへのシリーズ番組のコピーを一括して行なう技術が開示されている。この技術を用いれば、例えば、シリーズ番組がコピーされた複数の光ディスクのうちの１枚が記録再生装置に挿入された場合に、その光ディスクはシリーズ番組がコピーされた光ディスクのうち１枚であること、そのシリーズ番組がコピーされた光ディスクが合計何枚存在しているか、挿入された光ディスクはそのシリーズ番組がコピーされている複数枚の光ディスクのうちの何番目の光ディスクであるか、シリーズ番組の再生をどの光ディスクのどの位置まで再生したかの情報を、記録再生装置が取得し管理することが可能となることは容易に考えられる。
【先行技術文献】
【特許文献】
【００１２】
【特許文献１】特開２００８−７７７３５号公報
【発明の概要】
【発明が解決しようとする課題】
【００１３】
しかしながら上述した特許文献１のような従来技術では、シリーズ番組をコピーした複数の光ディスクの集まりである光ディスクセットを複数セット作成した場合、各光ディスクセットを完全には管理できないという課題が残る。
【００１４】
つまり、複数の光ディスクセットを作成する場合でも、使用するグループＩＤは１つであるため、各光ディスクセットそれぞれを識別することができない。従って、上記のような各情報を得る場合を考えると、これらの情報のうち、挿入された光ディスクはシリーズ番組がコピーされた光ディスクのうち１枚であること、そのシリーズ番組がコピーされた光ディスクが合計何枚存在しているか、挿入された光ディスクはそのシリーズ番組がコピーされている複数枚の光ディスクのうちの何番目の光ディスクであるか、までの情報は各光ディスクセットに共通の情報であるので、記録再生装置が取得、管理できる。しかし、シリーズ番組の再生をどの光ディスクのどの位置まで再生したか、つまりレジューム再生に関する情報は、管理できない。なぜなら、この情報は、各光ディスクセットそれぞれで異なるからである。
【００１５】
本発明は、このような課題に鑑み、シリーズ番組等、複数纏めて管理すべきコンテンツを複数の光ディスクに跨ってコピーした光ディスクセットを複数セット作成した場合でも、コピーされた各コンテンツと、各光ディスクセット、さらにはそれらの光ディスクセット内の各光ディスクとの対応関係を管理情報を通じて確実に管理でき、この管理情報をユーザに提示することで、ユーザの利便性を向上させることが可能な記録装置および再生装置を提供することを目的としている。
【課題を解決するための手段】
【００１６】
上記課題を解決するために、本発明は下記の装置を提供するものである。
（１）コンテンツを記録する記録装置において、第１の記録媒体に記録されているコンテンツのうちから、それぞれの記録媒体を識別させるための媒体識別子を有する１または複数の着脱可能な第２の記録媒体へコピーする対象となる複数のコンテンツを選択するコンテンツ選択制御部と、選択された前記複数のコンテンツが有するそれぞれのコンテンツを識別させるためのコンテンツ識別情報と、前記１または複数の第２の記録媒体のうちのいずれか１つの第２の記録媒体の前記媒体識別子とに基づいて前記選択された複数のコンテンツそれぞれを特定させるための情報であるコンテンツ固有識別子を生成する識別子生成部と、前記選択された複数のコンテンツのうちから、前記１または複数の第２の記録媒体のうち前記記録装置に装着された第２の記録媒体へコピーする対象のコンテンツである１または複数の記録対象コンテンツを決定するコンテンツ決定部と、前記１または複数の記録対象コンテンツを、前記装着された第２の記録媒体にコピーするとともに、前記選択された複数のコンテンツの前記コンテンツ固有識別子と、前記選択された複数のコンテンツのうちどれが前記記録対象コンテンツであるかを示す情報である記録コンテンツ情報とが対応付けられたコンテンツ対応情報を、前記装着された第２の記録媒体に記録するコンテンツ記録制御部と、を備えることを特徴とする記録装置。
（２）前記コンテンツ対応情報は、前記選択された複数のコンテンツを再生する際の順番も対応付けられていることを特徴とする上記（１）に記載の記録装置。
（３）コンテンツを再生する再生装置において、第１の記録媒体に記録されているコンテンツのうちから、それぞれの記録媒体を識別させるための媒体識別子を有する１または複数の第２の記録媒体へコピーする対象となる複数のコンテンツが選択され、この選択された複数のコンテンツが有するそれぞれのコンテンツを識別させるためのコンテンツ識別情報と、前記１または複数の第２の記録媒体のうちのいずれか１つの第２の記録媒体の前記媒体識別子とに基づいて生成された、前記選択された複数のコンテンツそれぞれを特定させるための情報であるコンテンツ固有識別子と、前記選択された複数のコンテンツのうちどれが前記１または複数の第２の記録媒体においてそれぞれ自体にコピーされている記録コンテンツであるかを示す情報である記録コンテンツ情報と、が対応付けられているコンテンツ対応情報が、前記記録コンテンツとともに記録されている前記１または複数の第２の記録媒体のうちの前記再生装置に装着された第２の記録媒体から、前記コンテンツ対応情報を取得する対応情報取得部と、前記装着された第２の記録媒体に記録されている前記記録コンテンツを再生するコンテンツ再生制御部と、前記コンテンツ再生制御部が前記記録コンテンツの再生を停止したとき、その記録コンテンツにおける再生停止位置を示す情報を、この記録コンテンツを特定するコンテンツ固有識別子に関連付けた再生履歴情報を前記再生装置内の情報記憶部に記録する再生履歴情報記録制御部と、を備え、前記コンテンツ再生制御部は、前記記録コンテンツの再生を再開する際、前記情報記憶部に記録されている前記再生履歴情報を取得して、前記記録コンテンツのコンテンツ固有識別子に対応した再生停止位置を示す情報に基づいてコンテンツを再生することを特徴とする再生装置。
（４）前記コンテンツ再生制御部は、前記装着された第２の記録媒体に記録されている各前記記録コンテンツの前記再生履歴情報の一覧をモニタに表示させる手段を有するとともに、ユーザに、この表示させた再生履歴情報の一覧に含まれている前記各記録コンテンツから再生対象コンテンツを選択させ、この選択された再生対象コンテンツを、この再生対象コンテンツのコンテンツ固有識別子に対応した再生停止位置を示す情報に基づいて再生することを特徴とする上記（３）に記載の再生装置。
（５）前記コンテンツ対応情報は、前記選択された複数の記録コンテンツを再生する際の順番も対応付けられており、前記コンテンツ再生制御部は、前記再生する際の順番で、前記各記録コンテンツの前記再生履歴情報の一覧をモニタに表示させることを特徴とする上記（４）に記載の再生装置。
【発明の効果】
【００１７】
以上説明したように本発明によれば、シリーズ番組等、複数纏めて管理すべきコンテンツを複数の光ディスクに跨ってコピーした光ディスクセットを複数セット作成した場合でも、コピーされた各コンテンツと、各光ディスクセット、さらにはそれらの光ディスクセット内の各光ディスクとの対応関係を管理情報を通じて確実に管理でき、この管理情報をユーザに提示することで、ユーザの利便性を向上させることが可能となる。また、本発明は、シリーズ番組に限られず、ユーザ等によって任意に選択され、グループ化されたコンテンツ群にも適用できる。
【図面の簡単な説明】
【００１８】
【図１】第１の実施形態にかかる記録再生システムの概略的な接続関係を示した説明図である。
【図２】第１の実施形態にかかる記録再生装置の概略的な構成を示した機能ブロック図である。
【図３】リモコンの外観を説明するための説明図である。
【図４】シリーズ番組管理情報を説明するための説明図である。
【図５】第１の実施形態にかかる記録再生装置のＨＤＤに記録したコンテンツを再生させるためのコンテンツ一覧画面をモニタに表示させる手順を説明するためのフローチャートである。
【図６】コンテンツ一覧画面を説明するための説明図である。
【図７】ユーザ操作に応じて図６で示した画面から遷移した画面示す図である。
【図８】ユーザ操作に応じて図６で示した画面から遷移した画面示す図である。
【図９】コンテンツ選択制御部が選択したコンテンツ群をＨＤＤから光ディスクへコピーする際にモニタに表示される画面の遷移を説明するための図である。
【図１０】コンテンツ固有識別子を生成する手順を説明するための説明図である。
【図１１】コンテンツ対応情報を説明するための説明図である。
【図１２】コンテンツ選択制御部が選択したコンテンツ群をＨＤＤから光ディスクへコピーする際にモニタに表示される画面のうち、２枚目の光ディスクへのコピーを開始する時点で表示される画面、および全ての光ディスクへのコピーが完了した時点で表示される画面を示す図である。
【図１３】第１の実施形態にかかる記録方法の処理の流れを示したフローチャートである。
【図１４】第２の実施形態にかかる記録再生装置の概略的な構成を示した機能ブロック図である。
【図１５】第２の実施形態にかかる光ディスクセットにコピーされているコンテンツと、コンテンツ対応情報との対応関係を説明するための説明図である。
【図１６】第２の実施形態にかかるコンテンツ対応情報を説明するための説明図である。
【図１７】再生履歴情報リストを説明するための説明図である。
【図１８】シリーズ番組管理情報と、コンテンツ対応情報と、再生履歴情報リストの関係を説明するための説明図である。
【図１９】第２の実施形態にかかるコンテンツ再生制御部がモニタに表示させる、コンテンツの再生履歴情報の一覧画面を説明するための説明図である。
【図２０】第２の実施形態にかかる再生方法の処理の流れを示したフローチャートである。
【発明を実施するための形態】
【００１９】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２０】
（記録再生システム１００）
図１は、本実施形態にかかる記録再生システム１００の概略的な接続関係を示した説明図である。当該記録再生システム１００は、例えば、記録装置および再生装置の両装置の機能を備えた記録再生装置１１０と、リモートコントローラ（以下、単にリモコンと称する）１１２と、モニタ１２０と、放送局１３０と、インターネット、ＩＳＤＮ(Integrated Services Digital Network)回線、専用回線等で構成される通信網１４０と、通信網１４０に接続された番組管理サーバ１５０とを含んで構成される。
【００２１】
本実施形態において、記録再生装置１１０は、放送局１３０から送信されるデジタル放送波を受信し、そのデジタル放送波から選択された任意のコンテンツをモニタ１２０に表示させる。また、記録再生装置１１０は、放送局１３０から送信されるデジタル放送波を通じてＳＩを取得し、そのＳＩに基づいて生成したＥＰＧをモニタ１２０に表示させることでユーザにコンテンツの放送予定を視認させることができる。なお、ＥＰＧや番組情報を得る基データとしては、ＳＩだけではなく、ＥＰＧ提供事業者から送信される放送波経由またはインターネット経由で提供されるＥＰＧデータを取得して用いてもよい。
【００２２】
そして、記録再生装置１１０は、リモコン１１２等から、所望するコンテンツを記録（録画）するためのユーザによる操作入力を受け付けると、かかるコンテンツを記録再生装置１１０内の第１の記録媒体としてのＨＤＤや、記録再生装置１１０に着脱可能な第２の記録媒体としての光ディスク１６０に記録する。
【００２３】
また、記録再生装置１１０は、リモコン１１２等から、コンテンツを再生するためのユーザによる操作入力を受け付けると、ＨＤＤまたは光ディスク１６０に記録されている所望のコンテンツを再生する。
【００２４】
なお、ＨＤＤは正確には装置であるが、説明の便宜上本説明では記録媒体と同義として扱う。
【００２５】
記録再生装置１１０が、受信したデジタル放送波に含まれる複数のコンテンツで構成されるシリーズ番組をＨＤＤに記録する場合、ＳＩを利用できるため、かかる複数のコンテンツをシリーズ番組として自動的に関連づけてＨＤＤに記録することができる。
【００２６】
（第１の実施形態：記録再生装置１１０）
図２は、本実施形態にかかる記録再生装置１１０の概略的な構成を示した機能ブロック図である。記録再生装置１１０は、番組受信部２１０と、アンテナ２１２と、デマルチプレクサ２１６と、デマルチプレクサ用ＲＡＭ２１８と、コンテンツ処理部２２０と、ＣＰＵ２２８と、バス２３０と、ＲＯＭ２３２と、ＲＡＭ２３４と、第１の記録媒体としてのＨＤＤ２３６と、リモコンＩ／Ｆ２４０と、通信Ｉ／Ｆ２４２と、ディスクドライブ２４４とを含んで構成される。本実施形態において、第１の記録媒体として記録再生装置１１０に内蔵されたＨＤＤ２３６を挙げて説明するが、これに限定されず、記録再生装置１１０に内蔵可能な他の大容量記録媒体（例えばフラッシュメモリ等）の記録媒体を第１の記録媒体として利用することもできる。
【００２７】
番組受信部２１０は、チューナ等で構成され、例えば放送局１３０から送信されるデジタル放送波を、アンテナ２１２を通じて受信する。そして、このデジタル放送波から任意のチャンネルを選択する。
【００２８】
デマルチプレクサ２１６は、デマルチプレクサ用ＲＡＭ２１８を用いて、番組受信部２１０が選択したチャンネルの信号を、ビデオデータ、オーディオデータ、ＳＩ、ＰＳＩ（Program Specific Information）、データカルーセル情報に分離する。そして、ビデオデータおよびオーディオデータをコンテンツ処理部２２０に出力する。また、ＳＩ、ＰＳＩおよびデータカルーセル情報は、デマルチプレクサ用ＲＡＭ２１８に蓄積され、後述するＣＰＵ２２８によって種々のデータに加工された後、必要に応じてＨＤＤ２３６やＲＡＭ２３４に記録される。
【００２９】
コンテンツ処理部２２０は、デマルチプレクサ２１６、ＨＤＤ２３６、ディスクドライブ２４４から出力される圧縮されたビデオデータおよび圧縮されたオーディオデータをデコードする。そして、コンテンツ処理部２２０は、デコードされたビデオデータにＣＰＵ２２８が生成したＧＵＩ（Graphical User Interface）用の画面を重畳し、ＣＰＵ２２８の制御に応じてその重畳された画面をモニタ１２０に表示させる。また、コンテンツ処理部２２０は、ＣＰＵ２２８の制御に応じて、デコードされたオーディオデータをスピーカ１７０に出力させる。
【００３０】
ＣＰＵ２２８は、バス２３０を通じて番組受信部２１０、デマルチプレクサ２１６、デマルチプレクサ用ＲＡＭ２１８、コンテンツ処理部２２０、ＲＯＭ２３２、ＲＡＭ２３４、ＨＤＤ２３６、リモコンＩ／Ｆ２４０、通信Ｉ／Ｆ２４２、ディスクドライブ２４４等の複数の機能部と接続されており、各機能部を統括制御する。
【００３１】
例えば、ＣＰＵ２２８は、リモコン１１２等から、コンテンツを記録するためのユーザによる操作入力を受け付けると、各機能部を制御して、デマルチプレクサ２１６から出力される、現在受信、選択中のチャンネルで放送されているコンテンツに対応した圧縮されたビデオデータおよび圧縮されたオーディオデータ（以下、「コンテンツに対応した圧縮されたビデオデータおよび圧縮されたオーディオデータ」を単にコンテンツと称する）を、ＨＤＤ２３６、またはディスクドライブ２４４に装着された光ディスク１６０に記録する。
【００３２】
また、ＣＰＵ２２８は、リモコン１１２等から、コンテンツを再生するためのユーザによる操作入力を受け付けると、各機能部を制御して、ＨＤＤ２３６、またはディスクドライブ２４４に装着された光ディスク１６０に記録されているコンテンツのうちからユーザによって指定されたコンテンツを取得し、この取得したコンテンツをコンテンツ処理部２２０に出力する。
【００３３】
また、ＣＰＵ２２８は、ＧＵＩ用の画面も生成する。例えば、ＣＰＵ２２８は、ユーザからＥＰＧの表示操作を受け付けると、ＲＡＭ２３４に予め記録されているＳＩを参照して、現在以降８日間のＥＰＧを生成し、コンテンツ処理部２２０に出力する。
【００３４】
ＲＯＭ２３２は、ＣＰＵ２２８で実行されるプログラム等を格納するための不揮発性のメモリである。
ＲＡＭ２３４は、プログラム実行時の変数等を一時的に格納するための揮発性のメモリである。
ＨＤＤ２３６は、ＣＰＵ２２８からの制御を受け、所望のコンテンツを記録し、また、記録されているコンテンツを再生する。また、ＨＤＤ２３６は、後述するシリーズ番組管理情報２５０やコンテンツ対応情報も記録する。
ディスクドライブ２４４は、ＣＰＵ２２８からの制御を受け、装着された光ディスク１６０に所望のコンテンツを記録し、また、記録されているコンテンツを再生する。
【００３５】
リモコンＩ／Ｆ２４０は、リモコン１１２との赤外線通信を通じてユーザによる操作入力に対応したコマンドを取得し、ＣＰＵ２２８に出力する。ＣＰＵ２２８は、かかるコマンドを取得し、そのコマンドに対応した処理を遂行する。
【００３６】
図３は、リモコン１１２の外観を説明するための説明図である。図３に示すように、リモコン１１２は、十字キー１１２ａ、決定キー１１２ｂ、リストキー１１２ｃ、再生キー１１２ｄ、ＨＤＤキー１１２ｅ、コピーキー１１２ｆ、メニューキー１１２ｇ等の操作キーを含んで構成される。リモコン１１２は、このような操作キーへのユーザによる操作入力に応じてコマンドを発信し、リモコンＩ／Ｆ２４０は、そのコマンドを取得し、ＣＰＵ２２８に出力する。ここでは、以下の説明に用いられる操作キーを挙げているが、リモコン１１２に他の様々な機能に対応した操作キーを配することもできる。
【００３７】
通信Ｉ／Ｆ２４２は、例えば、通信網１４０を介したＴＣＰ／ＩＰのプロトコルによって、番組管理サーバ１５０等様々なサーバと接続し、番組情報等の各種データを受信する。
【００３８】
本実施形態において、ＣＰＵ２２８は、ＲＡＭ２３４や他の構成要素と協働して、管理情報生成部３００、コンテンツ再生制御部３０２、コンテンツ選択制御部３０４、識別子生成部３０６、コンテンツ決定部３０８、対応情報生成部３１０、コンテンツ記録制御部３１２、としても機能する。
【００３９】
管理情報生成部３００は、例えば、ＲＡＭ２３４に記憶されているＳＩからシリーズ記述子等のデータを取得し、これらのデータに基づいて、シリーズ番組を管理するシリーズ番組管理情報２５０を生成し、ＨＤＤ２３６や図示しないフラッシュメモリ等に記録する。
【００４０】
図４は、シリーズ番組管理情報２５０を説明するための説明図である。図４に示すように、シリーズ番組管理情報２５０は、シリーズ番組の名前を示すシリーズ番組名２５０ａと、シリーズ番組を一意に識別するための識別子であるシリーズＩＤ２５０ｂと、シリーズ番組の総数である総コンテンツ数２５０ｃと、シリーズ番組中のそれぞれのコンテンツを識別するコンテンツＩＤ２５０ｄと、コンテンツの記録状態（例えば、録画済、未録画、録画予約済等）を示すコンテンツ状態２５０ｅと、コンテンツ詳細ＩＤ２５０ｆと、を含んで構成される。なお、コンテンツ詳細ＩＤ２５０ｆには、番組情報が関連付けられている。ＣＰＵ２２８は、ユーザに、所望のコンテンツの番組情報を示す際、このコンテンツ詳細ＩＤ２５０ｆを参照してそれに関連付けられた番組情報を取得している。
【００４１】
コンテンツ選択制御部３０４は、ユーザの選択入力に応じて、ＨＤＤ２３６に記録されているコンテンツのうちから、１または複数のコンテンツを選択する。
【００４２】
コンテンツ再生制御部３０２は、ＨＤＤ２３６や光ディスク１６０に記録されたコンテンツの視聴をユーザが試みた際、コンテンツ選択制御部３０４が選択したコンテンツを再生する。
【００４３】
図５は、本実施形態にかかる記録再生装置１１０のＨＤＤ２３６に記録したコンテンツを再生させるためのコンテンツ一覧画面をモニタ１２０に表示させる手順を説明するためのフローチャートである。
【００４４】
ユーザのリモコン１１２のＨＤＤキー１１２ｅおよびリストキー１１２ｃへの操作入力に応じた、ＨＤＤ２３６に記録されたコンテンツにかかるコンテンツ一覧画面の表示要求をリモコンＩ／Ｆ２４０を介してＣＰＵ２２８が取得すると（Ｓ４００のＹＥＳ）、ＣＰＵ２２８は、ＨＤＤ２３６からシリーズ番組管理情報２５０を取得する（Ｓ４０２）。
【００４５】
そして、ＣＰＵ２２８は、取得したシリーズ管理情報２５０を参照して、ＨＤＤ２３６に記録されているそれぞれのコンテンツがシリーズ番組であるか否かを判断し（Ｓ４０４）、シリーズ番組である場合（Ｓ４０４のＹＥＳ）、シリーズ番組であることを示す情報をコンテンツに対応付ける（Ｓ４０６）。
【００４６】
そして、ＣＰＵ２２８は、ＨＤＤ２３６に記録されているコンテンツをリスト化し、コンテンツ一覧画面としてモニタ１２０に表示させる（Ｓ４０８）。このとき、ステップＳ４０６でシリーズ番組であることを示す情報が対応付けられたコンテンツは、そのコンテンツがシリーズ番組であることがユーザにわかる態様に表示される。
【００４７】
図６は、コンテンツ一覧画面２５２を説明するための説明図である。図６に示すように、コンテンツ一覧画面２５２には、シリーズ番組であることを示す表示２５２ａ、記録開始時刻２５２ｂ等がコンテンツ名２５２ｃに関連付けられている。ここでコンテンツ選択制御部３０４は、ユーザによるリモコン１１２の十字キー１１２ａ等への選択入力を受けて、コンテンツ一覧画面中フォーカス（例えば図６のように縁取りを施す）を移動させる。
【００４８】
そして、１つのコンテンツがフォーカスさせた状態で、ユーザによるリモコン１１２の再生キー１１２ｄの再生入力を受けると、コンテンツ再生制御部３０２は、コンテンツ選択制御部３０４が選択したコンテンツをＨＤＤ２３６から取得して、コンテンツ処理部２２０へ出力する。
【００４９】
ここで、シリーズ番組がフォーカスされ、コンテンツ選択制御部３０４がシリーズ番組を選択した場合、コンテンツ再生制御部３０２は、選択されたシリーズ番組における前回再生したコンテンツをコンテンツ処理部２２０へ出力する。
【００５０】
上述したように、シリーズ番組を構成するコンテンツをＨＤＤ２３６から再生する場合、ＣＰＵ２２８は、ＨＤＤ２３６からシリーズ番組管理情報２５０も取得することができるので、そのシリーズ番組管理情報２５０に基づき、ＨＤＤ２３６に記録されたコンテンツがシリーズ番組であるか否かの情報をコンテンツ一覧画面２５２に追加して、モニタ１２０に表示させることができる。従って、ユーザは、コンテンツ一覧画面２５２を視認するだけで、ＨＤＤ２３６に記録したコンテンツがシリーズ番組であるか否かを確認することが可能となる。
【００５１】
本実施形態の記録再生装置１１０では、ＨＤＤ２３６に記録された１または複数のコンテンツをＨＤＤ２３６から光ディスク１６０にコピーする際に、光ディスク１６０に記録する情報を加工することで、光ディスク１６０にコピーされたコンテンツがシリーズ番組を構成するコンテンツであるか否かをユーザに確認させることが可能となる。以下、本実施形態の特徴的な構成について詳述する。
【００５２】
ここでは、例えば、３つのコンテンツから構成される１つのシリーズ番組（例えば「月曜連続ドラマ」）を１コンテンツずつ３枚の光ディスク１６０にコピーする例を挙げて説明する。本実施形態では、複数のコンテンツから構成されるシリーズ番組をいくつの光ディスク１６０に、どのような分配で（例えば、光ディスク１６０ごとに、所定コンテンツ数で、または任意のコンテンツ数で）コピーするかを、ユーザが任意に定めることも、記録再生装置１１０が光ディスク１６０の記録容量とコンテンツのデータ容量に応じて自動的に決定することも可能である。
【００５３】
図７は、ユーザ操作に応じて図６で示した画面から遷移した画面を示す図である。上記図６に示したように、ユーザのリモコン１１２のＨＤＤキー１１２ｅおよびリストキー１１２ｃへの操作入力を通じた、ＨＤＤ２３６に記録された複数のコンテンツに関するコンテンツ一覧画面２５２の表示要求に応じて、ＣＰＵ２２８は、コンテンツ一覧画面２５２をモニタ１２０に表示させる。ここでコンテンツ選択制御部３０４は、リモコン１１２の十字キー１１２ａ等への選択入力を受けて、画面中のフォーカスを移動させる。
【００５４】
そして、コンテンツ選択制御部３０４がシリーズ番組を選択した場合、即ちユーザによるリモコン１１２の十字キー１１２ａ等への選択入力を受けて、１つのシリーズ番組をフォーカスさせた状態で、ユーザがリモコン１１２の決定キー１１２ｂを押下すると、かかる決定入力を受けて、ＣＰＵ２２８は、図７（ａ）に示す、シリーズ番組を構成する複数のコンテンツを示す画像２５６をモニタ１２０に表示させる。こうして、ユーザは、シリーズ番組中の個々のコンテンツを他のコンテンツと独立して選択することも可能となる。
【００５５】
その後、ユーザによるリモコン１１２のメニューキー１１２ｇの操作入力を受けると、ＣＰＵ２２８は、図７（ｂ）に示す、シリーズ番組に対する操作メニュー２５４をコンテンツ一覧画面２５２に重畳し、その重畳した画像をモニタ１２０に表示させる。
【００５６】
なお、図６に示したコンテンツ一覧画面を表示させた状態で、コンテンツ選択制御部３０４が、シリーズ番組ではないコンテンツを選択し、ユーザによるリモコン１１２のメニューキー１１２ｇの操作入力を受けると、ＣＰＵ２２８は、図７（ｂ）に示すような操作メニュー２５４をコンテンツ一覧画面２５２に重畳し、その重畳した画像をモニタ１２０に表示させる。
【００５７】
また、コンテンツ選択制御部３０４は、シリーズ番組ではない複数のコンテンツをまとめて選択することもできる。
【００５８】
図８は、ユーザ操作に応じて図６で示した画面から遷移した画面を示す図である。図８に示すように、コンテンツ選択制御部３０４が、ユーザによるリモコン１１２の十字キー１１２ａ、決定キー１１２ｂ等への操作入力に応じて、シリーズ番組ではない複数のコンテンツを１つずつ選択すると、ＣＰＵ２２８は、コンテンツ選択制御部３０４が選択した複数のコンテンツを示す画像（ここでは、ハッチングで表す）をモニタ１２０に表示させる。さらに、ＣＰＵ２２８は、コンテンツが選択された順を示す選択順位２５２ｄを、コンテンツ一覧画面２５２に重畳してモニタ１２０に表示させる。
【００５９】
図７（ｂ）に示す操作メニュー２５４がモニタ１２０に表示された状態で、ユーザによるリモコン１１２の十字キー１１２ａ等によりフォーカスを移動させ、選択決定されたシリーズ番組をコピーするための「案内画面の表示」をフォーカスさせた状態（図７（ｂ）中縁取りで示す）で、ユーザがリモコン１１２の決定キー１１２ｂを押下すると、その決定入力に応じて、ＣＰＵ２２８は、以下に示す案内画面をモニタ１２０に表示させる。なお、操作メニュー２５４は、「案内画面の表示」以外に「再生」等の操作にかかる選択枝を複数含んで構成される。
【００６０】
図９は、コンテンツ選択制御部３０４が選択したコンテンツ群をＨＤＤ２３６から光ディスク１６０へコピーする際にモニタに表示される画面の遷移を説明するための図である。まず、図９（ａ）に示すように、案内画面２５８には、コンテンツ群をすべてコピーするのに必要な光ディスク１６０の最小枚数（枚数の目安）が示される。また、案内画面２５８には、光ディスク１６０の装着（接続または挿入）を促すメッセージも表示される。
【００６１】
ＣＰＵ２２８が、光ディスク１６０のディスクドライブ２４４への装着を確認すると、識別子生成部３０６は、この装着された光ディスク１６０から、この光ディスク１６０の種類（例えば、ＤＶＤ、ＢＤ）を示すメディア情報と、光ディスク１６０の媒体識別子（以下、単に媒体ＩＤと称する）とを取得する。かかる媒体ＩＤは、その物理メディアに固有のＩＤであり、例えばＣＰＲＭ（Content Protection for Recordable Media）対応ＤＶＤ−ＲＷのメディアＩＤや、ＡＡＣＳ(Advanced access content system)対応ＢＤ−ＲＥのメディアＩＤ等を示す。
【００６２】
図１０は、コンテンツ固有識別子を生成する手順を説明するための説明図である。図１０に示すように、識別子生成部３０６は、コンテンツ選択制御部３０４が選択した複数のコンテンツが有する、それぞれのコンテンツを識別させるためのコンテンツ識別情報と、任意の１の光ディスク１６０（本実施形態では、最初に装着された光ディスク１６０）における媒体ＩＤと、に基づいて一方向のハッシュ計算を行い、コンテンツごとにこの選択された複数のコンテンツそれぞれを特定させるための情報であるコンテンツ固有識別子（以下、単にコンテンツ固有ＩＤと称する）を生成する。なお、本実施形態において、識別子生成部３０６は、このコンテンツ固有ＩＤを、所定ビット長（例えば１２８ビット）となるように生成する。
【００６３】
ここで、コンテンツ識別情報は、コンテンツ名、放送日時等のＳＩから取得可能なメタデータであってもよいし、メタデータが付与されたていないアナログ放送やユーザが作成したプライベートコンテンツ（例えば、ユーザがデジタルビデオカメラを用いて撮像したコンテンツ）の場合は、コンテンツのデータの一部を抽出した、コンテンツの個体識別に十分なサイズ（所定バイト数）のバイナリデータ等を採用することもできる。
【００６４】
従って、識別子生成部３０６は、１つの媒体ＩＤを用いて、コンテンツ選択制御部３０４が選択したコンテンツごとにコンテンツ固有ＩＤを生成することになる。
【００６５】
コンテンツ決定部３０８は、コンテンツ選択制御部３０４が選択した複数のコンテンツのうちから、１または複数の光ディスク１６０のうち当該記録再生装置１１０に装着された光ディスク１６０へコピーする対象のコンテンツ（記録対象コンテンツ）を決定する。
【００６６】
ＣＰＵ２２８は、ディスクドライブ２４４への光ディスク１６０の装着を確認すると、図９（ｂ）に示すように、１枚目の光ディスク１６０にコピーすべきコンテンツを決定するためのコンテンツ決定画面２６０をモニタ１２０に表示させる。このとき、コンテンツ決定画面２６０には、図９（ｂ）中ハッチングで示すように、コンテンツ決定部３０８の仮決定結果が示される。
【００６７】
また、コンテンツ決定部３０８は、コピー対象となるコンテンツの変更（取り消し／追加）を行うことができる。例えば、ユーザによるリモコン１１２への選択入力に応じて、コンテンツが変更されると、コンテンツ決定部３０８は、その変更後のコンテンツを記録対象コンテンツとする。
【００６８】
そして、図９（ｂ）の状態で、ユーザによってリモコン１１２の決定キー１１２ｂが押下されると、記録対象コンテンツが決定される。ここで、コンテンツ決定部３０８は、１つのコンテンツのみを選択して記録対象コンテンツとしているが、かかる場合に限らず、複数のコンテンツを選択して記録対象コンテンツとして決定してもよい。
【００６９】
なお、コンテンツ決定部３０８が決定したコンテンツのデータ容量が、装着された光ディスク１６０の空き容量を超過する場合、ＣＰＵ２２８が空き容量に応じてコンテンツをレート変換（再エンコード）し、コンテンツのデータ容量を縮小（圧縮）するようにしてもよい。
【００７０】
対応情報生成部３１０は、識別子生成部３０６が生成したコンテンツ固有ＩＤ３３６を用いてコンテンツ対応情報を生成する。
【００７１】
図１１は、コンテンツ対応情報３３０を説明するための説明図である。図１１（ａ）に示すように、本実施形態において、コンテンツ対応情報３３０（３３０ａ、３３０ｂ、３３０ｃ）は、共通情報３３２と、個別情報３３４（３３４ａ、３３４ｂ、３３４ｃ）とに大別される。共通情報３３２は、シリーズ番組名と、シリーズ番組放送時間帯と、コンテンツ固有ＩＤ３３６と、コンテンツ名と、コンテンツ記録日時と、コンテンツを再生する際の順番（以下、単に表示順と称する）３４０を含んで構成される。個別情報３３４は、光ディスク１６０ごとに個別に生成され、コンテンツ選択制御部３０４が選択した複数のコンテンツのうち、どれがコンテンツ決定部３０８が決定した記録対象コンテンツであるかを示す情報である記録コンテンツ情報３３８（図１１中、記録位置と記す）を含んで構成される。ここで、記録コンテンツ情報３３８は、コンテンツ固有ＩＤ３３６と対応付けられている。
【００７２】
なお、図８に示したようにコンテンツ選択制御部３０４がシリーズ番組ではない複数のコンテンツをまとめて選択した場合、コンテンツ対応情報３３０のシリーズ番組名２５０ａには何ら指標が示されないが、複数のコンテンツを纏めたことを表すため、「非シリーズコンテンツ」等の規定の名称を設定することもできるし、ユーザによる操作入力に応じて任意の名称を設定することもできる。またコンテンツ対応情報３３０の記録開始時刻２５２ｂには、そのコンテンツ群が光ディスク１６０にコピーされた時刻等を設定したり、設定を行わず「未設定」としてもよい。
【００７３】
コンテンツ記録制御部３１２は、ユーザによるリモコン１１２のコピーキー１１２ｆへのコピー指示入力（もしくは、ムーブ指示入力）に応じて、ＨＤＤ２３６およびディスクドライブ２４４を制御し、コンテンツ決定部３０８が決定した１または複数の記録対象コンテンツを、ＨＤＤ２３６から光ディスク１６０へコピーするとともに、この光ディスク１６０に対応して対応情報生成部３１０が生成したコンテンツ対応情報３３０を光ディスク１６０に記録する。
【００７４】
本実施形態において、コンテンツ記録制御部３１２は、図１１（ｂ）に示すように、１枚目の光ディスク１６０に、コンテンツ「第１話  出会い」と、コンテンツ「第１話  出会い」の個別情報３３４ａを含むコンテンツ対応情報３３０ａとを記録し、２枚目の光ディスク１６０に、コンテンツ「第２話  別れ」と、コンテンツ「第２話  別れ」の個別情報３３４ｂを含むコンテンツ対応情報３３０ｂとを記録し、３枚目の光ディスク１６０に、コンテンツ「第３話  再会」と、コンテンツ「第３話  再会」の個別情報３３４ｃを含むコンテンツ対応情報３３０ｃとをそれぞれ記録する。
【００７５】
そして、コンテンツ記録制御部３１２が、コンテンツ決定部３０８が決定した記録対象コンテンツとかかる記録対象コンテンツに対応したコンテンツ対応情報３３０の記録を完了すると、図９（ｃ）に示すように、ＣＰＵ２２８は、記録が完了したコンテンツを示す情報（図９（ｃ）中黒塗りで示す）と、１枚目の光ディスク１６０へのコンテンツのコピーが終了した旨を示すメッセージと、次の光ディスク１６０の装着を指示する旨を示すメッセージとをコンテンツ決定画面２６０に重畳してモニタ１２０に表示させる。
【００７６】
図１２は、コンテンツ選択制御部３０４が選択したコンテンツ群をＨＤＤ２３６から光ディスク１６０へコピーする際にモニタ１２０に表示される画面のうち、２枚目の光ディスク１６０へのコピーを開始する時点で表示される画面（図１２（ａ））、および全ての光ディスク１６０へのコピーが完了した時点で表示される画面を示す図である。
【００７７】
２枚目の光ディスク１６０が装着されると、コンテンツ決定部３０８は、既にコピーが終了したコンテンツを除く複数のコンテンツからコピー可能なコンテンツを記録対象コンテンツとして決定する。そして、ＣＰＵ２２８は、図１２（ａ）に示すように、２枚目の光ディスク１６０にコピーすべき記録対象コンテンツを、コンテンツ決定画面２６０を通じてモニタ１２０に表示させる（図１２（ａ）中、ハッチングで示す）。ここでＣＰＵ２２８は、１枚目の光ディスク１６０にコピーされたコンテンツに対して、このコンテンツが既に記録済（コピー済）である旨を示す情報（図１２（ａ）中黒塗りで示す）もコンテンツ決定画面２６０を通じてモニタ１２０に表示させ、そのコンテンツへの再度の選択入力を禁止する。
【００７８】
そして、図１２（ｂ）に示すように、コンテンツ記録制御部３１２が、選択された複数のコンテンツのコピーをすべて完了すると、ＣＰＵ２２８は、記録が完了したことを示すメッセージと、光ディスク１６０の合計枚数（例えば、３枚）をコンテンツ決定画面２６０に重畳してモニタ１２０に表示させる。
【００７９】
上述したように、本実施形態にかかる記録再生装置１１０は、複数のコンテンツから構成されるシリーズ番組等を複数の光ディスク１６０に跨ってコピーする場合、コンテンツとともに、コンテンツと光ディスク１６０の両方を特定できるコンテンツ固有ＩＤ３３６を含むコンテンツ対応情報３３０を、光ディスク１６０に記録する。これにより、１つの光ディスク１６０を再生する場合に、かかる光ディスク１６０にシリーズ番組を構成する１または複数のコンテンツがコピーされていること、シリーズ番組を構成するすべてのコンテンツのコンテンツ名、および当該光ディスク１６０にコピーされたコンテンツをユーザ（視聴者）に把握させることが可能となる。
【００８０】
（記録方法）
次に、上述した記録再生装置１１０を用いて、ＨＤＤ２３６に記録された複数のコンテンツで構成されるシリーズ番組を複数の光ディスク１６０に跨ってコピーする記録方法を説明する。図１３は、本実施形態にかかる記録方法の処理の流れを示したフローチャートである。
【００８１】
ユーザのＨＤＤキー１１２ｅおよびリストキー１１２ｃへの操作入力による、ＨＤＤ２３６に記録されたコンテンツを示すコンテンツ一覧画面２５２の表示要求があると（Ｓ４５０のＹＥＳ）、ＣＰＵ２２８は、コンテンツ一覧画面２５２をモニタ１２０に表示させる（Ｓ４５２）。コンテンツ一覧画面２５２を通じて、ユーザによるリモコン１１２への選択決定入力があると、その選択決定入力に応じて、コンテンツ選択制御部３０４は、シリーズ番組もしくは１または複数のコンテンツを選択する（Ｓ４５４）。さらにユーザによるリモコン１１２への操作入力に応じて、ＣＰＵ２２８は光ディスク１６０の装着を指示する旨の表示を含む案内画面２５８をモニタ１２０に表示させる（Ｓ４５６）。
【００８２】
ＣＰＵ２２８は、光ディスク１６０がディスクドライブ２４４に装着されたか否かを判定し（Ｓ４５８）、光ディスク１６０の装着を確認すると（Ｓ４５８のＹＥＳ）、かかる光ディスク１６０が１枚目の光ディスク１６０であるか否か、即ち、光ディスク１６０の最初の装着であるか否かを判定する（Ｓ４６０）。
【００８３】
装着された光ディスク１６０が１枚目の光ディスク１６０であれば（Ｓ４６０のＹＥＳ）、識別子生成部３０６は、装着された光ディスク１６０から媒体ＩＤを取得する（Ｓ４６２）。さらに識別子生成部３０６は、取得した媒体ＩＤと、コンテンツ選択制御部３０４が選択した複数のコンテンツが有する、それぞれのコンテンツを識別させるためのコンテンツ識別情報と、に基づいてコンテンツ固有ＩＤ３３６を生成する（Ｓ４６４）。
【００８４】
続いて、識別子生成部３０６は、選択されたコンテンツの数だけコンテンツ固有ＩＤ３３６が生成されたか否かを判定する（Ｓ４６６）。選択されたコンテンツの数だけコンテンツ固有ＩＤ３３６が生成されると（Ｓ４６６のＹＥＳ）、対応情報生成部３１０は、そのコンテンツ固有ＩＤ３３６をリスト化し、コンテンツ対応情報３３０を生成する（Ｓ４６８）。
【００８５】
次に、コンテンツ決定部３０８は、コピー対象となる記録対象コンテンツを決定し（Ｓ４７０）、コンテンツ記録制御部３１２は、ユーザによるリモコン１１２のコピーキー１１２ｆへの操作入力に応じて、コンテンツ決定部３０８が決定した記録対象コンテンツをＨＤＤ２３６から光ディスク１６０にコピーすると共に、かかる記録対象コンテンツに対応したコンテンツ対応情報３３０を光ディスク１６０に記録する（Ｓ４７２）。
【００８６】
そして、選択されたすべてのコンテンツと、かかるコンテンツに対応したコンテンツ対応情報３３０との記録が終了したか否かをコンテンツ記録制御部３１２が判定し（Ｓ４７４）、終了していなければ（Ｓ４７４のＮＯ）、ＣＰＵ２２８が、光ディスク１６０の装着（交換）指示を行い（Ｓ４５６）、Ｓ４５８からＳ４７２までの処理を繰り返す。こうして、選択された複数のコンテンツが複数の光ディスク１６０に跨ってコピーされた光ディスクセットが生成される。
【００８７】
（第２の実施形態）
上述した第１の実施形態では、シリーズ番組等、複数纏めて管理すべきコンテンツが複数の光ディスク１６０に跨ってコピーされた光ディスクセットが１セット生成される場合に、そのそれぞれのコンテンツと光ディスク１６０の対応関係を管理し、纏まったコンテンツとして確実かつ容易に操作できる記録再生装置１１０について説明した。
【００８８】
第２の実施形態では、このようなコンテンツをコピーした第２の記録媒体としての光ディスクセットを複数セット生成したとしてもそれぞれのセットにおける個々の記録コンテンツを確実に識別することが可能となる記録再生装置５１０について説明する。なお、上述した記録再生装置１１０と実質的に等しい構成要素については、同一の符号を付して説明を省略する。
【００８９】
（記録再生装置５１０）
図１４は、本実施形態にかかる記録再生装置５１０の概略的な構成を示した機能ブロック図である。記録再生装置５１０は、番組受信部２１０と、アンテナ２１２と、デマルチプレクサ２１６と、デマルチプレクサ用ＲＡＭ２１８と、コンテンツ処理部２２０と、ＣＰＵ５２８と、バス２３０と、ＲＯＭ２３２と、ＲＡＭ２３４と、ＨＤＤ２３６と、リモコンＩ／Ｆ２４０と、通信Ｉ／Ｆ２４２、ディスクドライブ２４４とを含んで構成される。
【００９０】
本実施形態において、ＣＰＵ５２８は、ＲＡＭ２３４や他の構成要素と協働して、対応情報取得部５５０、コンテンツ再生制御部５５２、再生履歴情報記録制御部５５４としても機能する。以下、例えば、５つのコンテンツから構成されるシリーズ番組（例えば図６の「水曜連続劇場」）を１コンテンツずつ５枚の光ディスク１６０にコピーした光ディスクセット５６０ａを再生する場合と、１話目および２話目とのコンテンツを１枚の光ディスク１６０にコピーし、３話目および４話目のコンテンツを１枚の光ディスク１６０にコピーし、５話目のコンテンツを１枚の光ディスク１６０にコピーした光ディスクセット５６０ｂを再生する場合との２つの例を挙げて説明する。
【００９１】
図１５は、本実施形態にかかる光ディスクセット５６０にコピーされている記録コンテンツと、コンテンツ対応情報３３０との対応関係を説明するための説明図である。図１５（ａ）は光ディスクセット５６０ａにおける対応関係を示し、図１５（ｂ）は光ディスクセット５６０ｂにおける対応関係を示す。
【００９２】
対応情報取得部５５０は、光ディスク１６０からコンテンツ対応情報３３０を取得する。本実施形態において、コンテンツ対応情報３３０には、コンテンツ再生制御部５５２によって選択された複数の記録コンテンツの表示順３４０も対応付けられている。
【００９３】
図１６は、本実施形態にかかるコンテンツ対応情報３３０を説明するための説明図である。図１５に示すように、本実施形態において、同一シリーズ番組を複数（本実施形態では、２つ）の光ディスクセット５６０（図１５中５６０ａ、５６０ｂで示す）にコピーしているため、同一のコンテンツ群に対応したコンテンツ対応情報３３０であっても、光ディスクセット５６０によって、その記録コンテンツの光ディスク１６０への配分が異なる。図１６では、例として、光ディスクセット５６０ａの１枚目の光ディスク１６０に記録されるコンテンツ対応情報３３０ｄと、光ディスクセット５６０ｂの１枚目の光ディスク１６０に記録されるコンテンツ対応情報３３０ｉとを示す。
【００９４】
コンテンツ再生制御部５５２は、ディスクドライブ２４４に装着された光ディスク１６０に記録されている記録コンテンツを再生する。
【００９５】
再生履歴情報記録制御部５５４は、コンテンツ再生制御部５５２が光ディスク１６０に記録された記録コンテンツの再生を停止したとき、その記録コンテンツにおける再生停止位置を示す情報と、この記録コンテンツを特定するコンテンツ固有ＩＤ３３６とを関連付けた再生履歴情報リスト５７２を、ＨＤＤ２３６や、図示しないフラッシュメモリ等の情報記憶部に記録する。また再生履歴情報記録制御部５５４は、再生履歴情報リスト５７２に再生停止位置を示す情報が既に関連づけられている場合に、コンテンツ再生制御部５５２が再生を停止すると、新たな再生停止位置に基づいて再生履歴情報リスト５７２を更新する。
【００９６】
図１７は、再生履歴情報リスト５７２を説明するための説明図であり、図１８は、シリーズ番組管理情報２５０と、コンテンツ対応情報３３０と、再生履歴情報リスト５７２の関係を説明するための説明図である。図１７に示すように、再生履歴情報リスト５７２は、コンテンツ固有ＩＤ３３６に、再生停止位置と、再生日時（本実施形態では、再生開始日時）とが対応づけられてリスト化されたものである。
【００９７】
図１８に示すように、シリーズ番組管理情報２５０および再生履歴情報リスト５７２は、ＨＤＤ２３６や、図示しないフラッシュメモリ等の情報記憶部に記録され、コンテンツ対応情報３３０は、光ディスク１６０に記録される。上述した第１の実施形態にかかる記録再生装置１１０は、コンテンツ対応情報３３０を、コピーするコンテンツとともに光ディスク１６０に記録する。従って、第１の実施形態にかかる記録再生装置１１０が作成した光ディスクセット５６０を本実施形態にかかる記録再生装置５１０で再生する場合、光ディスクセット５６０を構成する光ディスク１６０からコンテンツ対応情報３３０を取得することができる。これにより、記録再生装置１１０がコピーした各コンテンツと、各光ディスクセット５６０、さらにはそれらの光ディスクセット５６０内の各光ディスク１６０との対応関係をコンテンツ対応情報３３０を通じて確実に管理できる。
【００９８】
また、本実施形態において、コンテンツ再生制御部５５２は、ディスクドライブ２４４に装着された光ディスク１６０の各記録コンテンツの再生履歴情報リスト５７２に基づいて生成した再生履歴情報の一覧をモニタ１２０に表示させる。
【００９９】
図１９は、本実施形態にかかるコンテンツ再生制御部５５２がモニタ１２０に表示させる、コンテンツの再生履歴情報の一覧画面を説明するための説明図である。図１９（ａ）は図１５に示した光ディスクセット５６０ａ（コンテンツ対応情報３３０ｄ）の一枚目の光ディスク１６０の再生を試みる場合のコンテンツの再生履歴情報の一覧画面５７０を示し、図１９（ｂ）は光ディスクセット５６０ｂ（コンテンツ対応情報３３０ｉ）の一枚目の光ディスク１６０の再生を試みる場合のコンテンツの再生履歴情報の一覧画面５７０を示す。図１９に示すように、コンテンツの再生履歴情報の一覧画面５７０には、コンテンツ対応情報３３０が示すコンテンツ名５７０ａに関連づけられて、記録再生装置１１０がコンテンツを録画した日時（放送日時）５７０ｂおよび光ディスク１６０に記録された記録コンテンツの再生停止位置５７０ｃ（ここでは、記録コンテンツをどのくらい再生したかを相対的に把握可能となるように、再生停止位置を、再生した割合（％）で示している）が表示順３４０に従って、モニタ１２０に表示される。ここでは、光ディスクセット５６０ａと光ディスクセット５６０ｂとの視聴進捗時間が異なるため、再生停止位置５７０ｃも異なることとなる。また、本実施形態において、コンテンツ再生制御部５５２は、装着した光ディスク１６０にコピーされていない、シリーズ番組の残りの記録コンテンツを、図中クロスハッチングで示したような別態様でモニタ１２０に表示させる。
【０１００】
これにより、記録再生装置５１０に装着された光ディスク１６０が、シリーズ番組等をコピーした光ディスクセット５６０の一部であるか否かをユーザに視認させることができる。また、光ディスク１６０が光ディスクセット５６０に属する場合、かかる光ディスク１６０がどの光ディスクセット５６０（５６０ａ、５６０ｂ）に属しているか、どの記録コンテンツがコピーされているか、コピーされている記録コンテンツをどこまで再生したかをユーザに視認させることが可能となる。
【０１０１】
そして、コンテンツ再生制御部５５２は、ユーザによるリモコン１１２の十字キー１１２ａ等への選択入力を受けて、画面中のフォーカスを移動させる。そしてコンテンツ再生制御部５５２が再生履歴情報の一覧に含まれる各記録コンテンツから再生対象コンテンツを選択した場合、即ちユーザによるリモコン１１２の十字キー１１２ａ等への選択入力を受けて、１つの記録コンテンツをフォーカスさせた状態で、ユーザがリモコン１１２の再生キー１１２ｄを押下すると、コンテンツ再生制御部５５２は、その再生入力を受けた時点でフォーカスされている記録コンテンツを再生対象コンテンツとして選択する。その後、コンテンツ再生制御部５５２は、この再生対象コンテンツのコンテンツ固有ＩＤ３３６に対応した再生停止位置を示す情報に基づいて、その再生停止位置から、選択された再生対象コンテンツをコンテンツ処理部２２０に出力する。こうして記録再生装置５１０は、選択された記録コンテンツをモニタ１２０に表示（再生）させることができる。
【０１０２】
上述したように本実施形態にかかる記録再生装置５１０は、光ディスク１６０から取得したコンテンツ対応情報３３０に含まれるコンテンツ固有ＩＤ３３６に、再生停止位置と、再生日時とを対応づけた再生履歴情報リスト５７２を、情報記憶部としてのＨＤＤ２３６に記録している。かかる構成により、記録再生装置５１０に装着された光ディスク１６０がシリーズ番組等をコピーした光ディスクセット５６０の一部であるか否かを把握でき、光ディスク１６０が光ディスクセット５６０に属する場合、かかる光ディスク１６０が光ディスクセット５６０のいずれに属しているか、光ディスク１６０にどの記録コンテンツがコピーされているか、コピーされている記録コンテンツをどこまで再生したかをユーザに提示することができ、ユーザの利便性を向上させることが可能となる。
【０１０３】
（再生方法）
次に、上述した記録再生装置５１０を用いて、複数のコンテンツで構成されるシリーズ番組をコピーした光ディスクセット５６０に属する光ディスク１６０を再生する再生方法を説明する。図２０は、本実施形態にかかる再生方法の処理の流れを示したフローチャートである。
【０１０４】
光ディスク１６０がディスクドライブ２４４に装着されると（Ｓ６００のＹＥＳ）、ＣＰＵ５２８は、装着された光ディスク１６０にコンテンツ対応情報３３０が記録されているか否かを判断し（Ｓ６０２）、コンテンツ対応情報３３０が記録されていれば（Ｓ６０２のＹＥＳ）、対応情報取得部５５０は、装着された光ディスク１６０からコンテンツ対応情報３３０を取得する（Ｓ６０４）。
【０１０５】
そして、コンテンツ再生制御部５５２は、再生履歴情報記録制御部５５４がＨＤＤ２３６や、図示しないフラッシュメモリ等の情報記憶部に記録した再生履歴情報リスト５７２を取得する（Ｓ６０６）。
【０１０６】
このとき、ＣＰＵ５２８は、再生履歴情報リスト５７２に、対応情報取得部５５０が取得したコンテンツ対応情報３３０に記録されているコンテンツ固有ＩＤ３３６が含まれているか否かを判断し（Ｓ６０８）、コンテンツ固有ＩＤ３３６が含まれていれば（Ｓ６０８のＹＥＳ）、コンテンツ再生制御部５５２は、かかるコンテンツ固有ＩＤ３３６が含まれる再生停止位置を示す情報を取得する（Ｓ６１０）。コンテンツ再生制御部５５２は、光ディスク１６０に含まれる記録コンテンツすべてについて、再生停止位置取得ステップ（Ｓ６０８、Ｓ６１０）を遂行する（Ｓ６１２）。
【０１０７】
そして、コンテンツ再生制御部５５２は、表示順３４０に従ったコンテンツ名５７０ａ、記録した日時５７０ｂおよび再生停止位置５７０ｃを含むコンテンツの再生履歴情報の一覧画面５７０をコンテンツ処理部２２０に出力する（Ｓ６１４）。
【０１０８】
そして、ユーザのリモコン１１２等からの再生入力があると（Ｓ６１６のＹＥＳ）、ＣＰＵ５２８は、再生履歴情報リスト５７２を参照し、再生停止位置を示す情報が記録されているか否かを判断し（Ｓ６１８）、再生停止位置を示す情報が記録されている場合（Ｓ６１８のＹＥＳ）、再生停止位置から再生し（Ｓ６２０）、再生停止位置を示す情報が記録されていない場合（Ｓ６１８のＮＯ）、その記録コンテンツの先頭から再生する（Ｓ６２２）。
【０１０９】
ユーザのリモコン１１２等からの停止入力があると（Ｓ６２４のＹＥＳ）、記録コンテンツの再生を停止し、再生履歴情報リスト５７２の再生停止位置を示す情報を更新する（Ｓ６２６）。
【０１１０】
一方、上記Ｓ６０２において、装着された光ディスク１６０にコンテンツ対応情報３３０が記録されていなければ（Ｓ６０２のＮＯ）、コンテンツ再生制御部５５２は、コンテンツ一覧画面２５２をモニタ１２０に表示させる（Ｓ６３０）。そして、ユーザのリモコン１１２等からの再生入力があると（Ｓ６３２のＹＥＳ）、その記録コンテンツを再生し（Ｓ６３４）、ユーザのリモコン１１２等からの停止入力があると（Ｓ６３６のＹＥＳ）、記録コンテンツの再生を停止する（Ｓ６３８）。
【０１１１】
以上説明したように、本実施形態にかかる記録再生装置５１０を用いた再生方法によれば、複数のコンテンツをコピーした光ディスクセット５６０を複数セット生成したとしてもその個々のコンテンツを確実に識別することが可能となる。従って、同一のコンテンツ群をコピーした光ディスクセット５６０を複数セット作成し、セットごとに異なって再生を行ったとしても、セットごとでどのコンテンツのどの時刻まで再生したかをユーザに視認させることができる。
【０１１２】
なお、社団法人電子情報技術産業協会(ＪＥＩＴＡ)によるデジタル放送の録画（記録）ルール（ダビング１０）に従うとダビング（コピー）は９回（ムーブを含めると１０回）実行することが可能である。従って、光ディスクセット５６０は最大１０組作成することができる。かかる場合であっても、光ディスクセット５６０ごとに異なるコンテンツ対応情報３３０を記録しているため、同一のコンテンツがコピーされた複数の光ディスク１６０を同一の記録再生装置５１０で再生しても、光ディスクセット５６０間で混乱するおそれがなくなり、使い勝手が向上する。
【０１１３】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１１４】
また、上述した実施形態において、リモコン１１２を通じたユーザによる操作入力を用いて説明したが、記録再生装置１１０、５１０に設けられた操作部（図示せず）を通じたユーザによる操作入力を用いることもできる。
【０１１５】
また、上述した実施形態において、記録装置および再生装置として記録再生装置を挙げて説明したが、記録機能を抽出した記録装置や再生機能を抽出した再生装置も当然にして本発明の技術的範囲に属するものと了解される。
【０１１６】
さらに、上述した実施形態において、第２の記録媒体として、ＤＶＤ、ＢＤ等のリムーバブル記録媒体としての光ディスクを挙げて説明したが、これに限定されず、ＳＤカード等の固体メモリを第２の記録媒体として用いることもできる。
【０１１７】
なお、本明細書の記録方法および再生方法における各工程は、必ずしもシーケンス図として記載された順序に沿って時系列に処理する必要はなく、並列的あるいはサブルーチンによる処理を含んでもよい。
【産業上の利用可能性】
【０１１８】
本発明は、コンテンツを記録媒体に記録する記録装置および記録媒体に記録されたコンテンツを再生する再生装置に利用することができる。
【符号の説明】
【０１１９】
１１０、５１０  …記録再生装置（記録装置および再生装置）
１６０  …光ディスク
２２８、５２８  …ＣＰＵ
２５０  …シリーズ番組管理情報
３０２、５５２  …コンテンツ再生制御部
３０４  …コンテンツ選択制御部
３０６  …識別子生成部
３０８  …コンテンツ決定部
３１２  …コンテンツ記録制御部
３３０  …コンテンツ対応情報
３３６  …コンテンツ固有ＩＤ（コンテンツ固有識別子）
３３８  …記録コンテンツ情報
３４０  …再生する際の順番（表示順）
５５０  …対応情報取得部
５５４  …再生履歴情報記録制御部
５６０  …光ディスクセット
５７２  …再生履歴情報リスト
【図１】
2010198680.tif 000003
【図２】
2010198680.tif 000004
【図３】
2010198680.tif 000005
【図４】
2010198680.tif 000006
【図５】
2010198680.tif 000007
【図６】
2010198680.tif 000008
【図７】
2010198680.tif 000009
【図８】
2010198680.tif 000010
【図９】
2010198680.tif 000011
【図１０】
2010198680.tif 000012
【図１１】
2010198680.tif 000013
【図１２】
2010198680.tif 000014
【図１３】
2010198680.tif 000015
【図１４】
2010198680.tif 000016
【図１５】
2010198680.tif 000017
【図１６】
2010198680.tif 000018
【図１７】
2010198680.tif 000019
【図１８】
2010198680.tif 000020
【図１９】
2010198680.tif 000021
【図２０】
2010198680.tif 000022